(57)【要約】【課題】天板上から配線ダクトへ弛みなく適切に配線を案内することができるようにしたテーブルを提供する。【解決手段】脚体２に天板支持部２３と支柱部２１とを設け、天板支持部２３を天板１に取り付ける取付具Ａに、天板１上又はその周囲で使用される機器類Ｅの配線ＥＣを配線ダクト３へ案内する配線案内部Ｌを設けている。【選択図】図２
2006102423.tif 000002
【特許請求の範囲】
【請求項１】
天板と、該天板を支持する脚体と、前記天板の下面に取り付けられる配線ダクトとを具備してなり、前記脚体に、前記天板の下面に沿って配置され該天板を下方から支持する天板支持部と、該天板支持部に連続して床上に立設される支柱部とを設け、前記天板支持部又は該天板支持部を天板に取り付ける取付具の何れか一方又は両方に、天板上又はその周囲で使用される機器類の配線を前記配線ダクトへ案内する配線案内部を設けていることを特徴とするテーブル。
【請求項２】
前記配線案内部を、前記取付具に付帯させている請求項１記載のテーブル。
【請求項３】
前記天板が、長辺を使用縁又は反使用縁とし且つ短辺を側縁とする平面視長方形状をなすものであり、該天板の両側縁側に一対の前記脚体を配置し、各脚体に前記天板の使用縁及び反使用縁と側縁とにより構成される隅部を支持する前後一対の前記支柱部を設けるとともに、これら一対の支柱部における上端部間に亘って前記天板支持部を設け、この天板支持部の外側端部を前記一対の支柱部における上端部に対にして設定し且つ単一の内側端部を前記天板の奥行き方向中央部における側縁から内寄りの位置に設定することで、該天板支持部を底面視Ｖ字形状をなすものとし、前記配線ダクトを前記天板の幅方向に延びる直線的な形状としてその両側端部を左右の前記天板支持部の内側端部近傍に位置付けている請求項１又は２記載のテーブル。
【請求項４】
前記配線ダクトを、前記天板の下面に当接させて取り付けられる上壁と、該上壁と対向するように配置される下壁と、これら上壁及び下壁を繋ぐ起立壁とを有し側面視概略コ字形をなして両側端部及び天板の使用縁側へ開口するものとしている請求項３記載のテーブル。
【請求項５】
前記配線ダクトにおける上壁の重心又は該配線ダクト自体の重心を、前記天板の幅方向中央部を前後に通過する前後中心線上において該天板の奥行き方向中央部を通過する左右中心線と反使用縁との中間点よりも前記左右中心線寄りの位置に設定し、且つ配線ダクトの両側端部を、前記脚体の天板支持部における内側端よりも前記天板の側縁寄りの位置に設定している請求項４記載のテーブル。
【請求項６】
前記配線ダクトと同一構成を有する他の配線ダクトをさらに備え、これら一対の配線ダクトを前記前後中心線を対称軸として前後対称に配置している請求項５記載のテーブル。
【発明の詳細な説明】
【技術分野】
【０００１】  本発明は、天板上やその周囲で使用される機器類の配線の取り回しを好適に行うことができるテーブルに関するものである。
【背景技術】
【０００２】  従来より、天板上や天板の周囲で使用される電気機器類の配線を収めるための配線ダクト又は配線用フックを、天板下の下肢空間に設けたテーブルが各種考えられている。このようなテーブルの典型例としては、天板の下面側において反使用縁側に起立姿勢で設けられる幕板に、配線ダクトを別途に取り付けた態様（例えば、特許文献１参照）、或いは天板の両側端部を支持する一対の脚体間に配線ダクトを架け渡したり、この配線ダクトに配線用フックを別体として取り付けたりした態様（例えば、特許文献２参照）が挙げられる。
【特許文献１】特開平１１−１５５６４６号公報（図２等）
【特許文献２】実開平５−４３９２６号公報（図６等）
【発明の開示】
【発明が解決しようとする課題】
【０００３】  このような配線ダクト等を備えた従来のテーブルでは、仮に天板の反使用縁側等に下肢空間と天板の上面とを連通させる配線落とし込み用の穴が形成されていれば、天板から配線ダクトへ配線を直接導くことができるが、幕板や脚体に配線ダクト等を別体として取り付けなければならない点が不都合である。また、天板に配線落とし込み用の穴が形成されていない場合には、天板上から下ろされる配線を、天板の側縁や反使用縁を経過させて配線ダクトへ引き込む必要が生じ、その場合に、天板の側縁や反使用縁と配線ダクトとの間では配線が何処にも保持されない状態となる。この状態では、配線が弛んで天板からぶら下がった状態とされると、外観上好ましくない上に、通行者や物が引っ掛かるおそれもある。【０００４】  そこで本発明は、以上のような問題に鑑みて、脚体や幕板を利用することなく配線ダクトを配置し、天板上から配線ダクトへ弛みなく適切に配線を案内することができるようにしたテーブルを提供しようとするものである。
【課題を解決するための手段】
【０００５】  すなわち、本発明のテーブルは、天板と、天板を支持する脚体と、天板の下面に取り付けられる配線ダクトとを具備してなり、脚体に、天板の下面に沿って配置され且つ天板を下方から支持する天板支持部と、この天板支持部に連続して床上に立設される支柱部とを設けており、斯かる天板支持部又は天板支持部を天板に取り付ける取付具の何れか一方又は両方に、天板上又はその周囲で使用される機器類の配線を配線ダクトへ案内する配線案内部を設けていることを特徴としている。【０００６】  したがって、まず配線ダクトを天板の下面に取り付けるようにしたことで、配線ダクトを配置するために幕板や脚体を利用しなくても済むこととなる。また、脚体により天板を支持する構成要素である天板支持部、又はこの天板支持部の天板に対する取付具に配線案内部を形成しているので、天板に配線落とし込み用の穴を形成していなくても、天板の縁部から下ろした配線をこの配線案内部を経過させて配線ダクトへと導くことができる。すなわち配線は、天板の下面沿いに脚体の天板支持部を伝って配線ダクトへ引き込まれるため、天板の縁部から配線ダクトまでの間で配線が弛んでぶら下がる状態となることを防止し、安全性と見栄えを向上することができる。なお、本発明において天板には、上述のような配線落とし込み用の穴を格別に形成する必要はないが、斯かる穴を形成してもよいことはいうまでもない。【０００７】  特に、脚体自体には特別な加工を要さずに配線案内部を設けるには、取付具に配線案内部を付帯させることが望ましい。その結果、脚体の嵩張りを抑え、収納や運搬の便宜性を向上することができる。なお、取付具への配線案内部の付帯態様としては、取付具に配線案内部を一体的に形成した態様、又は取付具に配線案内部を外的に付加する態様、又は取付具と共に用いられる部材に配線案内部を形成している態様などを挙げることができる。【０００８】  また本発明において、天板には、長辺を使用縁又は反使用縁とし且つ短辺を側縁とする平面視長方形状をなす一般的な矩形天板を採用することができる。この場合、天板の両側縁側に一対の脚体を配置し、各脚体に天板の使用縁及び反使用縁と側縁とにより構成される隅部を支持する前後一対の前記支柱部を設けるとともに、これら一対の支柱部における上端部間に亘って天板支持部を設け、この天板支持部の外側端部を前記一対の支柱部における上端部に対にして設定し且つ単一の内側端部を天板の奥行き方向中央部における側縁から内寄りの位置に設定することで、この天板支持部を底面視Ｖ字形状をなすものとすれば、脚体による天板の支持強度を十分に高めることができる。さらに、配線ダクトを天板の幅方向に延びる直線的な形状としてその両側端部を左右の天板支持部の内側端部近傍に位置付ければ、天板支持部を経由させた配線を配線ダクトへ好適に案内できるうえに、配線ダクトを設けることによる天板の剛性の向上にも寄与し得るものとなる。【０００９】  このようなテーブルにおいて、天板の剛性の向上と配線の良好な収容性能に役立つ好適な配線ダクトとしては、天板の下面に当接させて取り付けられる上壁と、この上壁と対向するように配置される下壁と、これら上壁及び下壁を繋ぐ起立壁とを有し��面視概略コ字形をなして両側端部及び天板の使用縁側へ開口するものを挙げることができる。【００１０】  そして、斯かる配線ダクトを設けることにより、天板の剛性、特に撓み防止を最適化できるようにするには、配線ダクトにおける上壁の重心又は配線ダクト自体の重心を、天板の幅方向中央部を前後に通過する前後中心線上において天板の奥行き方向中央部を通過する左右中心線と反使用縁との中間点よりも左右中心線寄りの位置に設定し、且つ配線ダクトの両側端部を脚体の天板支持部における内側端よりも天板の側縁寄りの位置に設定することによって配線ダクトの幅寸法を一対の脚体の内側端間距離よりも長くすることが好ましい。【００１１】  また、特に天板が大型であるようなテーブルの場合には、配線ダクトと同一構成を有する他の配線ダクトをさらに備え、これら一対の配線ダクトを前記前後中心線を対称軸として前後対称に配置するとよい。この場合、天板の一対の長辺はいずれも使用縁として会議用デーブル等に適用されることがあるが、どちらの使用縁からも配線を配線ダクトへ導きやすいので、配線の取り回し効率を向上することができる。
【発明の効果】
【００１２】  本発明のテーブルによれば、天板の下面に脚体に依存することなく取り付けられる配線ダクトと備えていることから、幕板や脚体を利用せずに配線ダクトを設けることが可能である。しかも、脚体に形成される天板支持部、又はこの天板支持部を天板に取り付けるために用いられる取付具に配線案内部を設け、この配線案内部を通じて天板から下ろされた配線を配線ダクトへ導くように構成しているので、天板に配線落とし込み用の穴を形成していないない場合でも、天板の縁部と配線ダクトとの間で配線を弛ませることなく、安全性と良好な外観を維持しつつ好適な配線の取り回しをすることができる。また、天板に配線ダクトを取り付けることにより天板の撓み剛性を向上させることもできる。
【発明を実施するための最良の形態】
【００１３】  以下、本発明の一実施形態を、図面を参照して説明する。【００１４】  図１、図２は、例えばＳＯＨＯ等の小規模オフィスにおいて好適に使用されるテーブルＴを示している。このテーブルＴは、天板１と、該天板１を支持し得る脚体２と、天板１の下面に取り付けられる配線ダクト３とを具備してなるものである。本実施形態では天板１を矩形状としているが、必ずしも矩形状に限られるものではない。【００１５】  ここで、本実施形態に係るテーブルＴは、脚体２に、天板１の下面に沿って配置され天板１を下方から支持する後述の天板支持部２３と、該天板支持部２３に連続して床上に立設される支柱部２１とを設け、天板支持部２３を天板１に取り付ける取付具Ａに、天板１上又はその周囲で使用される例えばパーソナルコンピュータ等の機器類Ｅの配線ＥＣを配線ダクト３へ案内する後述する配線案内部Ｌを設けているものである。【００１６】  以下、テーブルＴの各構成要素について図１〜図５を用いて詳述する。【００１７】  具体的に説明すると、テーブルＴは、平面視長方形状の天板１に対し、同一構成を有する一対の脚体２を左右対称に配置している。さらに各脚体２は天板１の各側縁部に沿った隅部付近に配置される一対の支柱部２１を有している。ここで、本実施形態において当該天板１の短辺を側縁１ｃとするとともに、一対の長辺のうち、配線ダクト３に近い側を反使用縁１ａに設定し、該反使用縁１ａに対面する側を使用縁１ｂに設定している。なお、天板１は１つの脚体２を取り付ける位置を変更し、天板１と当該天板１と同様の構成を有する他のテーブルＴ’の天板１’とを隣接配置する場合、天板１、１’間に跨って脚体２を取り付けることにより２台のテーブルＴ、Ｔ’とを連結し得るものであるが、その点については後述する。【００１８】  脚体２は、前記一対の支柱部２１と、それらの間に介在する天板支持部２３とを主体としたものである。具体的には脚体２は、天板１の両側縁１ｃ側に対をなして配置され、天板１の隅部を支持する前後一対の支柱部２１を設けるとともに、これら一対の支柱部２１における上端部間に亘って天板支持部２３を設けたものである。そして天板支持部２３に取付具Ａを利用して脚体２を天板１に固定するようにしている。さらに当該取付具Ａには、配線ＥＣを配線ダクト３へ導く金具カバー２５を付帯させている。【００１９】  各脚体２の具体的構造について詳述する。図３に示すように、この脚体２は、主として一対のＬ字脚部材２ＬとＶ字連結部材２Ｖとを内嵌連結部材２３０により連結したものである。Ｌ字脚部材２Ｌは、一本の支柱部２１と該支柱部２１と一体に連続した水平延出部２３ａとを有する例えば一本の金属パイプからなるものである。Ｖ字連結部材２Ｖは、一本の金属パイプをＶ字状に湾曲させることにより構成されているものである。内嵌連結部材２３０は、Ｌ字脚部材２Ｌ及びＶ字連結部材２Ｖを構成する金属パイプの内部にそれぞれ嵌り得るＵ字形に曲げた金属板により構成されているものである。Ｌ字脚部材２Ｌにおける金属パイプの湾曲したコーナー部には、コーナーカバー４を取り付けている。そして、この内嵌連結部材２３０を用いてＬ字脚部材２ＬとＶ字連結部材２Ｖとを連結する際には、���嵌連結部材２３０の両端をそれぞれＬ字脚部材２Ｌの端部及びＶ字連結部材２Ｖの端部へ挿入するとともに、当該Ｌ字脚部材２ＬとＶ字連結部材２Ｖとを当接させ、Ｌ字脚部材２ＬとＶ字連結部材２Ｖとに形成されたビス穴に図示しないビスを挿入し当該ビスをナット穴ｎａに固定する。【００２０】  そして連結されたＬ字脚部材２ＬとＶ字連結部材２Ｖとによって脚体２を組み立てた場合、Ｌ字脚部材２Ｌの水平延出部２３ａとＶ字連結部材とによって天板支持部２３が構成される。このような構成の天板支持部２３は、外側端部を前記一対の支柱部２１における上端部に対にして設定し、単一の内側端部２３ｅを天板１の奥行き方向中央部における側縁から内寄りの位置に設定することで、底面視Ｖ字形状をなしている（図２）。また、一対のＬ字脚部材２Ｌの各支柱部２１は、本発明における支柱部に対応するものである。【００２１】  取付具Ａは、天板支持部２３に取り付けられる取付金具２４と、この取付金具２４を覆う金具カバー２５とからなるものである。【００２２】  取付金具２４は、上面部２４１に設けられたボルト孔２４３に図示しないボルトを挿通して天板１に設けられた鬼目ナットＮに固定することにより天板支持部２３を天板に固定するものである。また、起立部分２４３が後述する金具カバー２５のカバー部２５ａに係合することによりして金具カバー２５に被覆されることにより取付具Ａを構成する。【００２３】  金具カバー２５は、天板支持部２３の取付金具２４に取り付けて、当該取付金具２４を被覆するものであるが、天板１上から延ばした配線ＥＣを配線ダクト３へ案内する配線案内部Ｌの機能も有している。図４に示すように、金具カバー２５は、起立部分２４３に嵌め込んで当該起立部分２４３を被覆し得るカバー部２５ａと、該カバー部２５ａより側方に突出する上向き鈎状の突起であるコードフック部２５ｂとにより構成されている。このコードフック部２５ｂが、上述した配線案内部Ｌとして機能するものである。なお、本実施形態において金具カバー２５は取付金具２４に対して後付けする態様としたが、金具カバー２５と取付金具２４の代わりに、上述した金具カバー２５と類似した形状をなし、金属パイプを天板に同時に固定し得るブラケットを本発明の取付具とし、当該ブラケットがフック状の配線案内部を一体に有するものとしても良い。なお、一対の支柱部２１は図１、図２及び図３に示すように、それぞれ下端部に床面に接地するためのキャップＣが取り付けられている。そして当該脚体２を天板１に取り付ける際には取付金具２４に設けられたボルト挿通孔２４１と、プレートＰＬに設けられたボルト孔ｂとにそれぞれ下方より図示しないボルトを挿入し、天板１に設けられた鬼目ナットＮ（図８）に固定する。【００２４】  配線ダクト３は図５に示すように、例えば１枚の長方形状の金属板をチャネル状に屈曲させて天板１の巾方向に対応して直線的な形状として、テーブルＴ上に載置された機器類Ｅに接続されている配線ＥＣを該チャネルの内側部分に通して使用するものである。この配線ダクト３は、天板１の下面に当接させて取り付けられる上壁３１と、上壁３１と対向するように配置される下壁３２と、これら上壁３１及び下壁３２を繋ぐ起立壁３３とを有し天板１の両側縁部１ｃ及び天板１の使用縁１ｂ側へ開口するものとしている。そして配線ダクト３の上壁３１の中央部並びに両側端部付近には、天板１に図示しないボルトを用いて固定するためのボルト固定孔３１１を設けている。また、下壁３２の前記ボルト挿通孔と垂直方向に連通する位置には、ボルト及びボルトを締めるためのドライバ等の治具を通過させて当該治具を操作しやすくするための通過孔３２１を設けている。また、下壁３２の奥行き寸法を上壁３１のそれよりも大きく設定することにより、天板へ取り付ける箇所を最小限としながら下壁３２の上側に配線ＥＣを好適に保持しうるようにしている。更に、当該下壁３２の縁部を当該配線ＥＣが下方へずれ落ちないように斜め前方（使用縁１ｂ側）へ立ち上げている。【００２５】  ここで、配線ダクト３の配線位置について詳述する。当該配線ダクト３は図２に示すように天板１の下面側において、巾方向中央部の反使用縁１ａ寄りの位置に天板１の幅方向に沿って取り付けられている。詳細には、図２に示すように、その両側端部３ｅを左右の天板支持部２３の内側端部２３ｅ近傍に位置付けている。そして、上壁３１の重心Ｇを、天板１の幅方向中央部を前後に通過する前後中心線ｍ上において天板１の奥行き方向中央部を通過する左右中心線ｎと反使用縁１ａとの中間点Ｐよりも前記左右中心線ｎ寄りの位置に設定し、且つ配線ダクト３の両側端部３ｅを、脚体２の天板支持部２３における内側端部２３ｅよりも天板１の側縁１ｃ寄りの位置に設定している。【００２６】  なお、この実施形態のテーブルＴは、図６、図７に示すように、同様の構成を有するテーブルＴ’を用い、その２台を天板１、１’が平面視Ｌ字型をなすように配置し、その際に一方のテーブルＴの脚体２の向きを変更させることにより、両天板１、１’に跨って脚体２を取り付けることができるようにしたものである。そのための構成として、図７に示すように、天板１の下面に図示した脚体２の位置に対応する箇所のみならず、脚体２の向きを変更した場合に対応する箇所にも鬼目ナットＮ、Ｎ’を設けたものとしている。なお、テーブルＴ’を構成する各構成要素には、該当するテーブルＴの各符号の末尾に（’）を付したものとしている。このようにすることにより、Ｌ字形にテーブルを配置した際に使用者が通常位置するＬ字形の内角部分に支柱部２１が配置されることを有効に回避して、使用者にとって快適な下肢空間を構成し得るＬ字形テーブルを構成している。そしてこの場合においても、各脚体２、２’に取付部Ａを付帯させることにより、配線ダクト３及び配線案内部Ｌを有効に活用して機器類Ｅの配線ＥＣを有効に取り回し得るものとしている（図６）。【００２７】  以上のように、本実施形態に係るテーブルＴは、天板支持部２３を天板１に取り付ける取付具Ａに、天板１上又はその周囲で使用される機器類Ｅの配線ＥＣを配線ダクト３へ案内する配線案内部Ｌを設けたものである。【００２８】  したがって、まず配線ダクト３を天板１の下面に取り付けるようにしたことで、配線ダクト３を配置するために幕板などを利用しなくても済むこととなる。また、取付具Ａに配線案内部Ｌを形成しているので、天板１に配線落とし込み用の穴を���成していなくても、天板１の縁部から下ろした配線ＥＣをこの配線案内部Ｌを経過させて配線ダクト３へと導くことができる。すなわち配線ＥＣは、天板１の下面沿いに脚体２の天板支持部２３を伝って配線ダクト３へ引き込まれるため、天板１の縁部から配線ダクト３までの間で配線が弛んでぶら下がる状態となることを防止し、安全性と見栄えを向上することができる。【００２９】  特に、取付具Ａに配線案内部Ｌを付帯させることにより、脚体２自体には特別な加工を要さずに配線案内部Ｌを設けたものとしている。その結果、脚体２の嵩張りを抑え、収納や運搬の便宜性を向上することができる。【００３０】  また、天板支持部２３の内側端部２３ｅを天板の奥行き方向中央部における側縁から内寄りの位置に設定し、この天板支持部２３を底面視Ｖ字形状をなすものとすることにより、脚体２による天板１の支持強度を十分に高め、ひいてはテーブルＴ自体の強度を高めたものとしている。さらに、配線ダクト３の両側端部３ｅを左右の天板支持部２３の内側端部２３ｅ近傍に位置付けられることにより、天板支持部２３を経由させた配線を配線ダクト３へ好適に案内できるうえに、配線ダクト３を設けることによる天板１の剛性の向上にも寄与し得るものとなる。【００３１】  加えて、配線ダクト３を側面視概略コ字形として両側端部３ｅ及び天板１の使用縁１ｂ側へ開口するものとして、天板１の剛性の向上と配線ＥＣの良好な収容性能に役立つものとしている。また、上壁３１の重心Ｇを、左右中心線ｎと反使用縁１ａとの中間点Ｐよりも左右中心線ｎ寄りの位置に設定し、且つ配線ダクト３の幅寸法を一対の脚体２の内側端間距離よりも長くすることにより、天板１の剛性、特に撓み防止効果を十分に得ることができる。【００３２】  また、本実施形態の変形例として、上述の天板１の寸法を大きく設定した天板１”を用いた場合などは、撓み防止の効果を更に向上させるため、図８に示すように、配線ダクト３と同一構成を有する他の配線ダクト３をさらに備え、一対の配線ダクト３、３を天板の前記前後中心線ｍを対称軸として前後対称に配置することも可能である。また、この場合においても、その両側端部３ｅを左右の天板支持部２３の内側端部２３ｅ近傍に位置付けている。そして、上壁３１の重心Ｇを、前記天板の幅方向中央部を前後に通過する前後中心線ｍ上において該天板の奥行き方向中央部を通過する左右中心線ｎと反使用縁１ａとの中間点Ｐよりも前記左右中心線ｎ寄りの位置に設定し、配線ダクト３の幅寸法を一対の脚体２の内側端間距離よりも長く設定している。このようなものの場合、天板１”の一対の長辺はいずれも使用縁として会議用デーブル等に適用されることがあるが、どちらの使用縁からも配線を配線ダクト３へ導きやすいので、配線ＥＣの取り回し効率を向上させることができる。【００３３】  その他、各部の具体的構成についても上記実施形態に限られるものではない。上記実施形態では脚体２をＬ字脚部材とＶ字連結部材とによって構成するものとしたが、例えば、一本の金属パイプによって一体に構成されるものや、支柱部と天板支持部とを別体の部材を構成して連結するなど、適宜の構成を採用することができる。さらに、配線案内部は金具カバーに付帯される態様に限られるものではなく、例えば上記実施形態に示したコーナーカバーやプレートなどに付帯させ宇ものであっても良い。またその他、本発明の趣旨を逸脱しない範囲で種々変形が可能である。
【図面の簡単な説明】
【００３４】
【図１】本発明の一実施形態に係るテーブルを示す斜視図。
【図２】同実施形態に係るテーブルを示す底面図。
【図３】同実施形態に係る脚体を示す構成説明図。
【図４】同実施形態に係る配線案内部を示す斜視図。
【図５】同実施形態に係る配線ダクトを示す斜視図。
【図６】同実施形態に係るテーブルを連結した状態を示す斜視図。
【図７】同実施形態に係るテーブルを連結した状態を示す底面図。
【図８】同実施形態の変形例に係るテーブルを示す底面図。
【符号の説明】
【００３５】  １、１’…天板
１ｂ…使用縁
１ａ…反使用縁
１ｃ…側縁
２、２’…脚体
２１…支柱部（脚支柱）
２３…天板支持部
２３ｅ…天板支持部の内側端部（内側端部）
３…配線ダクト
３ｅ…配線ダクトの側端部（側端部）
３１…上壁
３２…下壁
３３…起立壁
Ａ…取付具
Ｌ…配線案内部
Ｇ…重心
ｍ…前後中心線
ｎ…左右中心線
Ｐ…中間点
Ｔ、Ｔ’…テーブル
【図１】
2006102423.tif 000003
【図２】
2006102423.tif 000004
【図３】
2006102423.tif 000005
【図４】
2006102423.tif 000006
【図５】
2006102423.tif 000007
【図６】
2006102423.tif 000008
【図７】
2006102423.tif 000009
【図８】
2006102423.tif 000010